(57)【要約】  本発明の諸実施形態においてターゲットセルを決定するための方法および装置を開示する。この方法は、移動端末の候補セルに関する情報を取得するステップを含み、候補セルがセル統計情報によって好ましいセルであると決定される場合、その候補セルは移動端末のターゲットセルとして確定される。セル統計情報は、移動端末に以前サービスを提供したセルに関する特有の情報と、以前サービスを提供したセル内に以前上記端末があったときの移動端末に関する特有の情報とを含む。本発明の諸実施形態によって提供される解決法は、多数のハンドオーバまたは再選択プロセスを回避し、かつネットワーク資源を節約する、好適なターゲットセルを移動端末のために決定することができる。
2013545369.tif 000002
【特許請求の範囲】
【請求項１】
ターゲットセルを決定するための方法であって、
移動端末の候補セルに関する情報を取得するステップと、
前記候補セルがセル統計情報に従って決定される好ましいセルである場合、前記候補セルを前記移動端末のターゲットセルとして決定するステップと、
を含み、
前記セル統計情報は、前記移動端末にサービスを提供したセルに関する特有の情報と、前記移動端末にサービスを提供した前記セルにおける前記移動端末に関する特有の情報と、を含むことを特徴とする方法。
【請求項２】
先に、前記方法は、前記移動端末によって前記セル統計情報を獲得するステップをさらに含み、
前記移動端末によって前記セル統計情報を獲得するステップは、前記移動端末によって前記移動端末にサービスを提供した前記セルに関する前記特有の情報、および前記移動端末にサービスを提供した前記セルにおける前記移動端末に関する前記特有の情報を記録するステップを含むことを特徴とする請求項1に記載のターゲットセルを決定するための方法。
【請求項３】
前記移動端末によって前記セル統計情報をネットワーク側の装置に送信するステップをさらに含むことを特徴とする請求項2に記載のターゲットセルを決定するための方法。
【請求項４】
先に、前記方法が、ネットワーク側の装置によって前記セル統計情報を獲得するステップをさらに含み、
前記ネットワーク側の装置によって前記セル統計情報を前記獲得するステップは、前記ネットワーク側の装置によって、前記移動端末にサービスを提供した前記セルに関する前記特有の情報、および前記移動端末にサービスを提供した前記セルにおける前記移動端末に関する前記特有の情報を、コアネットワークもしくは運用保守システムから、および/または前記移動端末の呼確立プロセスにおいて獲得するステップを含むことを特徴とする請求項1に記載のターゲットセルを決定するための方法。
【請求項５】
前記ネットワーク側の装置によって前記セル統計情報を前記移動端末に送信するステップをさらに含むことを特徴とする請求項4に記載のターゲットセルを決定するための方法。
【請求項６】
前記セル統計情報は、少なくとも前記移動端末にサービスを提供した前記セルのセル識別子と、前記移動端末にサービスを提供した前記セルにおける前記移動端末の滞在時間とを含み、
セル統計情報に従って好ましいセルを決定するための前記方法が、
前記候補セルの前記セル識別子および前記セル統計情報を使用することによって、前記候補セルにおける前記移動端末の前記滞在時間が、好ましいセルの閾値を満たすかどうかを判断し、
前記滞在時間が前記閾値を満たす場合、前記候補セルを前記好ましいセルと決定するステップを含むことを特徴とする請求項1に記載のターゲットセルと決定するための方法。
【請求項７】
前記候補セルが前記セル統計情報に従って決定された除外セルである場合、前記候補セルをターゲットセルとすることから除外するステップをさらに含むことを特徴とする請求項1に記載のターゲットセルを決定するための方法。
【請求項８】
前記セル統計情報は、少なくとも前記移動端末にサービスを提供した前記セルのセル識別子と、前記移動端末にサービスを提供した前記セルにおける前記移動端末の滞在時間とを含み、
前記セル統計情報に従って除外セルを決定するための前記方法が、
前記候補セルの前記セル識別子および前記セル統計情報を使用することによって、前記候補セルにおける前記移動端末の前記滞在時間が、除外セルの閾値を満たすかどうかを判断し、
前記滞在時間が前記閾値を満たす場合、前記候補セルを前記除外セルと決定するステップを含むことを特徴とする請求項7に記載のターゲットセルを決定するための方法。
【請求項９】
前記候補セルを前記移動端末のターゲットセルとして前記決定するステップの後に、前記方法が、
前記移動端末がアイドル状態であるとき、前記移動端末を前記ターゲットセルに再選択するステップと、
前記移動端末がアクティブ状態であるとき、前記移動端末を前記ターゲットセルにハンドオーバするステップと、
をさらに含むことを特徴とする請求項1に記載のターゲットセルを決定するための方法。
【請求項１０】
前記セル統計情報の中の前記移動端末にサービスを提供した前記セルに関する前記特有の情報は、セルタイプ、無線アクセス情報、周波数情報、周波数優先情報、ネットワーク計画関連パラメータ、セル送信電力、セル位置情報、および無線アクセスシステム情報のうちの1つまたは複数をさらに含み、
前記セル統計情報の中の前記移動端末にサービスを提供した前記セルにおける前記移動端末に関する前記特有の情報は、ハンドオーバ結果情報、アクセスに望ましい前記セルに関する情報、サービス体験、無線チャネルの品質、アクセス時間、方向、速度、および前記移動端末に固有の加入者プロファイル識別子情報のうちの1つまたは複数をさらに含むことを特徴とする請求項1から9のいずれか一項に記載のターゲットセルを決定するための方法。
【請求項１１】
移動端末であって、
候補セルに関する情報を取得するように構成された、取得モジュールと、
前記取得モジュールによって取得された前記候補セルがセル統計情報に従って決定される好ましいセルである場合、前記候補セルをターゲットセルとして決定するように構成された、決定モジュールと、
を含み、
前記セル統計情報が、前記移動端末にサービスを提供したセルに関する特有の情報と、前記移動端末にサービスを提供した前記セルにおける前記移動端末に関する特有の情報とを含むことを特徴とする移動端末。
【請求項１２】
前記セル統計情報を取得するように構成された獲得モジュールをさらに含み、
前記獲得モジュールが、前記移動端末にサービスを提供した前記セルに関する前記特有の情報と、前記移動端末にサービスを提供した前記セルにおける前記移動端末に関する前記特有の情報とを記録するように構成されていることを特徴とする請求項11に記載の移動端末。
【請求項１３】
前記獲得モジュールによって獲得された前記セル統計情報をネットワーク側の装置に送信するように構成された送信モジュールをさらに含むことを特徴とする請求項12に記載の移動端末。
【請求項１４】
前記セル統計情報は、少なくとも、前記移動端末にサービスを提供した前記セルのセル識別子と、前記移動端末にサービスを提供した前記セルにおける前記移動端末の滞在時間とを含み、
前記決定モジュールが、
前記候補セルの前記セル識別子および前記セル統計情報を使用することによって、前記候補セルにおける前記移動端末の前記滞在時間が、好ましいセルの閾値を満たすかどうかを判断し、
前記滞在時間が前記閾値を満たす場合、前記候補セルを前記好ましいセルと決定するように構成された、第1の決定ユニットを含むことを特徴とする請求項11に記載の移動端末。
【請求項１５】
前記セル統計情報は、
少なくとも前記移動端末にサービスを提供した前記セルのセル識別子と、
前記移動端末にサービスを提供した前記セルにおける前記移動端末の滞在時間と、
を含み、
前記決定モジュールは、前記候補セルの前記セル識別子および前記セル統計情報を使用することによって、前記候補セルにおける前記移動端末の前記滞在時間が、除外セルの閾値を満たすかどうかを判断し、前記滞在時間が前記閾値を満たす場合、前記候補セルを前記除外セルと判断するように構成された、第2の決定ユニットをさらに含むことを特徴とする請求項11に記載の移動端末。
【請求項１６】
移動端末の候補セルに関する情報を取得するように構成された、取得モジュールと、
前記取得モジュールによって取得された前記候補セルがセル統計情報に従って決定される好ましいセルである場合、前記候補セルを前記移動端末のターゲットセルとして決定するように構成された、決定モジュールと、
を含み、
前記セル統計情報が、
前記移動端末にサービスを提供したセルに関する特有の情報と、
前記移動端末にサービスを提供した前記セルにおける前記移動端末に関する特有の情報と、
を含むことを特徴とするネットワーク側の装置。
【請求項１７】
前記移動端末にサービスを提供した前記セルに関する前記特有の情報、および前記移動端末にサービスを提供した前記セルにおける前記移動端末に関する前記特有の情報を、コアネットワークもしくは運用保守システムから、および/または前記移動端末の呼確立プロセスにおいて獲得するように構成された獲得モジュールをさらに含むことを特徴とする請求項16に記載のネットワーク側の装置。
【請求項１８】
前記獲得モジュールによって獲得された前記セル統計情報を前記移動端末に送信するように構成された送信モジュールをさらに含むことを特徴とする請求項17に記載のネットワーク側の装置。
【請求項１９】
前記決定モジュールは、前記候補セルが前記セル統計情報に従って決定された除外セルである場合、前記候補セルをターゲットセルとすることから除外するようにさらに構成されることを特徴とする請求項16に記載のネットワーク側の装置。
【請求項２０】
前記移動端末がアイドル状態であるとき、前記移動端末を前記ターゲットセルに再選択するように構成された再選択モジュールと、
前記移動端末がアクティブ状態であるとき、前記移動端末を前記ターゲットセルにハンドオーバするように構成されたハンドオーバモジュールと、
をさらに含むことを特徴とする請求項16に記載のネットワーク側の装置。
【発明の詳細な説明】
【技術分野】
【０００１】
本出願は、2010年10月20日に中国特許庁に出願した、「METHOD AND DEVICE FOR DETERMINING TARGET CELL」という名称の中国特許出願第201010516031.4号に基づく優先権を主張し、これによりその内容全体を参照により組み込むものとする。
【０００２】
本発明の諸実施形態は、通信技術の分野に関し、詳細にはターゲットセルを決定するための方法および装置に関する。
【背景技術】
【０００３】
従来の技術では、ワイヤレス通信網の性能要件にさらに適応するために、様々な送信電力を有する、または様々なアクセス型を使用する基地局が、同じ地理的領域に配備されて、異種多層カバレッジ(heterogeneous multi-layer coverage)を形成している。例えば、ロングタームエボリューション(Long Term Evolution、以下LTEと略す)システムでは、ミクロ基地局および低電力基地局(または低電力ノードと呼ばれる)によって形成される異種ネットワークを使用して、ホットスポットのカバレッジ、マクロ基地局のカバレッジ内のブラインドスポットのカバレッジ、もしくは微弱信号スポットのカバレッジ、およびマクロ基地局のセルのエッジのカバレッジを強化し、同時に平均スループット、エッジスループット、およびセルの上りリンク/下りリンクスペクトル利用を向上させ、通信事業者のネットワーク構築コストおよび資本支出(Capital Expenditure、以下CAPEXと略す)を低減することができる。
【０００４】
既存ネットワークでは、ユーザがマクロセルの境界においてあるセルにハンドオーバされ、すぐに元のセルにハンドオーバされて戻る場合がある。このような頻繁なハンドオーバは、ユーザ体験を損なう。しかしながら、利得を得るためにマクロ基地局のカバレッジ内に多数の低電力ノードが配備されると、多数のセルが導入される。このために多数のセル境界が生じる。また低電力ノードはカバレッジ半径が小さく、ユーザ機器がセルの境界を越えて移動すると、ハンドオーバ、セルの選択、またはセルの再選択が行われる可能性があり、迅速なハンドオーバの問題はより深刻になる。また低電力ノードが独立した基地局として機能することがある。これは、低電力ノード間、または低電力ノードと別のノードとの間のハンドオーバが、基地局間ハンドオーバであることを意味する。しかしながら、基地局間ハンドオーバは、基地局内のハンドオーバよりも複雑であり、大量のシグナリングおよび複数のネットワーク要素を含む。
【０００５】
本発明の実施中、従来の技術では、低電力ノードの導入により多数の「ピコセル(pico cells)」が生じ、すなわちモビリティ境界が多くなり、したがってより多くのハンドオーバおよびセルの再選択が行われることが分かった。これによりネットワークに大きな負荷がかかり、より頻繁にサービスの中断も発生し、その結果ユーザ体験は損なわれる。別の態様では、低電力ノードは一般にホットスポットに配備されて、トラフィックの負荷を軽減し、ユーザにより良いユーザ体験を提供する。しかしながらネットワークは、例えばオフィスをカバーするセルなど、どのセルが携帯端末よって頻繁にアクセスされるかを判断することができず、したがって携帯端末をそこに効果的にハンドオーバできない。
【発明の概要】
【課題を解決するための手段】
【０００６】
本発明の諸実施形態は、多数の低電力ノードが導入された後に複数のセルの中からターゲットセルを選択するという問題を解決するために、ターゲットセルを決定するための方法および装置を提供する。
【０００７】
1つの態様では、本発明の一実施形態が、
移動端末の候補セルに関する情報を取得するステップと、
候補セルがセル統計情報に従って決定される好ましいセルである場合、候補セルを移動端末のターゲットセルとして決定するステップとを含み、
セル統計情報が、移動端末にサービスを提供したセルに関する特有の情報、および移動端末にサービスを提供したセルにおける移動端末に関する特有の情報を含む、ターゲットセルを決定するための方法を提供する。
【０００８】
別の態様では、本発明の一実施形態は、
候補セルに関する情報を取得するように構成された、取得モジュールと、
取得モジュールによって取得された候補セルが、セル統計情報に従って決定される好ましいセルである場合、候補セルをターゲットセルとして決定するように構成された、決定モジュールとを含み、
セル統計情報が、移動端末にサービスを提供したセルに関する特有の情報、および移動端末にサービスを提供したセルにおける移動端末に関する特有の情報を含む、移動端末を提供する。
【０００９】
さらに別の態様では、本発明の一実施形態は、
移動端末の候補セルに関する情報を取得するように構成された、取得モジュールと、
取得モジュールによって取得された候補セルがセル統計情報に従って決定される好ましいセルである場合、候補セルを移動端末のターゲットセルとして決定するように構成された、決定モジュールとを含み、
セル統計情報が、移動端末にサービスを提供したセルに関する特有の情報、および移動端末にサービスを提供したセルにおける移動端末に関する特有の情報を含む、ネットワーク側の装置を提供する。
【００１０】
本発明の諸実施形態によりターゲットセルを決定するための方法および装置は、移動端末の候補セルに関する情報を取得することができ、候補セルが、セル統計情報に従って移動端末によって決定される好ましいセルであるかどうかを判断し、そうである場合、候補セルを移動端末のターゲットセルと決定し、セル統計情報は、移動端末にサービスを提供したセルに関する特有の情報、および移動端末にサービスを提供したセルにおける移動端末に関する特有の情報を含む。セル統計情報に従ってターゲットセルを効果的に決定するための方法は、移動端末が任意の候補セルにむやみにハンドオーバされる、または再選択されるのを防ぎ、それによってネットワーク資源を節約し、さらにユーザにより安定した信頼できるサービスを提供する。
【００１１】
本発明の諸実施形態または先行技術の技術的解決法をより明瞭に説明するために、諸実施形態または先行技術の説明に必要である添付の図面について以下に概説する。明らかながら、次の説明中の添付の図面は、本発明の単に一部の実施形態を示しており、当業者は創造的な努力なしにこれらの添付の図面から他の図面をさらに得ることができる。
【図面の簡単な説明】
【００１２】
【図１】本発明の第1の実施形態によりターゲットセルを決定するための方法のフローチャートである。
【図２】本発明の第2の実施形態によりターゲットセルを決定するための方法のフローチャートである。
【図３】本発明の第3の実施形態によりターゲットセルを決定するための方法のフローチャートである。
【図４】本発明の第4の実施形態によりターゲットセルを決定するための方法のフローチャートである。
【図５】本発明の第5の実施形態によりターゲットセルを決定するための方法のフローチャートである。
【図６】本発明の第6の実施形態による移動端末の概略構造図である。
【図７】本発明の第7の実施形態による移動端末の概略構造図である。
【図８】本発明の第8の実施形態による移動端末の概略構造図である。
【図９】本発明の第9の実施形態によるネットワーク側の装置の概略構造図である。
【図１０】本発明の第10の実施形態によるネットワーク側の装置の第2の概略構造図である。
【図１１】本発明の第11の実施形態によるネットワーク側の装置の第3の概略構造図である。
【図１２】本発明の第12の実施形態によるネットワーク側の装置の第4の概略構造図である。
【発明を実施するための形態】
【００１３】
本発明の諸実施形態の目的、技術的解決法、および利点をより分かりやすくするために、以下に、本発明の諸実施形態における添付の図面を参照して、本発明の諸実施形態における技術的解決法を明確に、かつ完全に説明する。当然ながら、記載する実施形態は、本発明の実施形態の全部ではなく一部にすぎない。創造的な努力なしに本発明の諸実施形態に基づいて当業者によって取得される他のすべての実施形態は、本発明の保護範囲内に含まれるものとする。
【００１４】
図1は、本発明の一実施形態によりターゲットセルを決定するための方法のフローチャートである。図1に示すように、この方法は以下を含む。
【００１５】
ステップ101:移動端末の候補セルに関する情報を取得する。
【００１６】
移動端末は、ユーザ機器(User Equipment、以下UEと略す)、移動リレー(mobile relay)などとすることができる。UEは、携帯電話、パーソナルコンピュータなどとすることができる。この実施形態は、説明のために一例としてUEを使用するが、移動端末の保護範囲を限定しようとするものではない。UEは、移動中に、少なくとも1つまたは複数のセルのカバレッジエリアに入る可能性があり、少なくとも1つのセルをターゲットセルの候補セルとして使用し、このセルに関する情報を取得することができる。
【００１７】
候補セルに関する情報を取得することは、詳細には、候補セルを他のセルと区別するための候補セルに関する情報、すなわち候補セルを一意に識別することができる情報、例えば候補セルのセル識別子を取得することを指す。
【００１８】
さらに、取得された候補セルに関する情報に従って、候補セルを、様々なタイプに分類することができる。様々なタイプの候補セルに関して、その後の処理は異なる可能性がある。ある環境では、候補セルは、セル統計情報に記録されたセルと、セル統計情報に記録されていないセルとの2つのタイプに分類することができる。
【００１９】
セル統計情報(Cell Statistic Information、以下CSIと略す)は、UEにサービスを提供したセルに関する特有の情報(以下セル特有の情報と呼ぶ)と、UEにサービスを提供したセルにおけるUEに関する特有の情報(以下UE特有の情報と呼ぶ)とを含むことができる。
【００２０】
セル特有の情報は、セルのシステムブロードキャスト中のセルに関する情報を指す。LTEシステムに関しては、セル特有の情報は主にマスタ情報ブロック(Master Information Block、以下MIBと略す)、システム情報ブロック(System Information Block、以下SIBと略す)などに由来する。UE特有の情報は、サービングセルに滞在中のUEに関する情報、すなわちUEが特定のセルと関連付けられた後のUEに関する情報を指し、これは具体的にはアクセス情報、サービス機能、挙動機能、接続品質などによって示すことができる。CSIは、UEが取得する、またはネットワーク側の装置が取得することができる。
【００２１】
CSIに記録されたセルに関しては、セルが現在のターゲットセルであるかどうかを、本発明の諸実施形態で提供される方法に従って決定することができる。CSIに記録されていないセルに関しては、このセルを他の従来の方法または手順により処理し、関連する条件が満たされる場合、UEのサービングセルとしてCSIに記録することができ、セルが現在のターゲットセルであるかどうかを、本発明の諸実施形態で提供される方法に従って決定する。
【００２２】
ステップ102:候補セルがCSIに従って決定される好ましいセルである場合、候補セルをUEのターゲットセルと決定する。
【００２３】
詳細には、UE特有の情報は、次の情報のうちの1つまたは複数部分を含むことがあるが、これらに限定されない:サービングセルにおけるUEの滞在時間、ハンドオーバ結果情報、アクセスに望ましいセルに関する情報、サービス体験、無線チャネルの品質、アクセス時間、方向、速度、UE特定の加入者プロファイル識別子(Subscriber Profile Identifier、以下SPIDと略す)など。パラメータの詳細な説明については、この実施形態に続くTable 1(表1)を参照することができる。UE特有の情報は、Table 1(表1)に列挙するパラメータに限定されないことに注意されたい。UEに関する情報が特定セルにおける規則性および反復を示す限り、UEに関する情報は、UE特有の情報およびその後の処理の事前情報として役立つことができる。
【００２４】
セル特有の情報は、次の情報の1つまたは複数を含むことができるが、これらに限定されない:セル識別子、セルタイプ、無線アクセス(Radio Access Technology、以下RATと略す)情報、周波数情報、周波数優先情報、ネットワーク計画(例えば、公衆移動通信網(Public Land Mobile-communication Network、以下PLMNと略す))識別子、ロケーションエリア識別子関連パラメータ、セル送信電力、セル位置情報、無線アクセスシステム情報など。これらのパラメータは、セルのブロードキャスト情報から読み取ることができる。例えば、トラッキングエリアコード(Track Area Code、以下TACと略す)、セル識別子などは、LTEシステムのSIB 1から取得することができる。例えば、基準信号電力(reference Signal Power)は、基地局送信電力として提供するためにLTEシステムのSIB 2から取得することができ、したがってセルタイプなどを得ることができる。またセル特有の情報は、上記のパラメータに限定されないことに注意されたい。セルに関する情報が規則性および反復を示す限り、セルに関する情報は、セル特有の情報およびその後の処理の事前情報として機能することができる。セル特有の情報はまた、各SIB中のパラメータであることも可能である、または、マルチメディアブロードキャストマルチキャストサービス制御チャネル(以下MCCHと略す)におけるパラメータ(例えば、単一周波数ネットワークエリアでのマルチメディアブロードキャストマルチキャストサービス構成情報(MBSFNAreaConfiguration-r9))であることが可能である。セル特有の情報はまた、UEによって検出された、または計算されたセルに関する情報、例えばセル地理的位置情報、全地球測位システム(Global Position System、以下GPSと略す)を使用して取得することができるセルの地理的位置、セル位置技術などであることが可能である。CSIはUEの規則的および反復の動作を反映することができるので、UEのターゲットセルの選択は、CSIにより最適化することができる。パラメータの詳細な説明については、この実施形態に続くTable 2(表2)を参照することができる。セル特有の情報は、Table 2(表2)に列挙するパラメータに限定されないことに注意されたい。
【００２５】
【表１Ａ】
2013545369.tif 000003
【００２６】
【表１Ｂ】
2013545369.tif 000004
【００２７】
【表２Ａ】
2013545369.tif 000005
【００２８】
【表２Ｂ】
2013545369.tif 000006
【００２９】
【表２Ｃ】
2013545369.tif 000007
【００３０】
この実施形態によりターゲットセルを決定するための方法は、移動端末に対して候補セルに関する情報を取得し、この候補セルがセルの統計情報に従って決定される好ましいセルであるかどうかを判断し、そうである場合、この候補セルを携帯端末のターゲットセルと決定することができ、セルの統計情報は、移動端末にサービスを提供したセルに関する特有の情報、および移動端末にサービスを提供したセルにおける移動端末に関する特有の情報を含む。セルの統計情報に従ってターゲットセルを決定するための方法は、移動端末が任意の候補セルにむやみにハンドオーバされるまたは再選択されるのを効果的に防ぎ、それによってネットワーク資源を節約し、さらにユーザにより安定した信頼できるサービスを提供する。特に遅延の影響を受けやすい(delay-sensitive)サービスについては、所望のセルへのUEの再選択またはUEのハンドオーバの速度が向上する。
【００３１】
図2は、本発明の一実施形態によりターゲットセルを決定するための方法のフローチャートである。図2に示すように、この実施形態は、CSIを獲得しているUEを一例として使用して、ターゲットセルを決定するための方法を詳細に説明する。この方法は、次のステップを含む。
【００３２】
オプションステップ201:UEがCSI機能をサポートしているかどうかを示すレポートを基地局に送信する。
【００３３】
オプションステップ202:基地局は、UEにCSI機能を有効にするまたは無効にするよう指示する。
【００３４】
基地局は、RRC接続再構成メッセージを使用することによって、UEにCSI機能を有効にするまたは無効にするよう指示することができる。
【００３５】
オプションステップ203:基地局は、UEに対するCSI測定制御メッセージを構成する。
【００３６】
基地局は、RRC接続再構成メッセージを使用することによって、UEに対するCSI測定制御メッセージを構成することができる。
【００３７】
ステップ204:UEは、UEにサービスを提供したすべてのセルに関するセル特有の情報の統計値を集め、またUEにサービスを提供したすべてのセルにおけるUEに関するUE特有の情報の統計値を集める。
【００３８】
UEがUEにサービスを提供したすべてのセルに関するセル特有の情報、およびUEにサービスを提供したすべてのセルにおけるUEに関するUE特有の情報を含むCSIの統計値を集めるとき、UEはアイドル状態(Idle状態)、またはアクティブ状態(Active状態)であることが可能である。アイドル状態のUEはUEとネットワークとの間で確立されるRRC接続に依存しないので、UEはアイドル状態であって、それにより電力節約効果を実現するのが好ましい。しかしながら、収集されて記録される情報が連続的で完全なものであることを保証するために、UEがアクティブ状態のまま、通常のサービス処理のために複数のセルを横断する必要がある場合、UEはアクティブ状態でCSI情報を集めることもできる。確かに、アクティブ状態のUEがCSIの統計値を集めるとき、UEはアクティブ状態でパラメータの統計値を集めることもできる。パラメータに関する詳細については、Tables 1(表1)および2(表2)のパラメータの説明を参照することができる。
【００３９】
ステップ205:統計値を集めることによって獲得されたCSIは、UEに格納される。
【００４０】
CSIは、全部格納される、または一部格納されることが可能であり、あるいはUE特有の情報およびセル特有の情報は、別々に格納されることが可能である。特定の格納モードについて、次のように説明することができる。好ましくは、獲得されたCSIは、UEによってアクセスされるセルの順序に従った順序で格納される。
【００４１】
(1)完全リンクリスト形式。すなわち、セルは、一方向および双方向のリンクリストを使用することによって連続して配置される。リンクリスト中の各ユニットは、あるセルのCSI情報を示す。リンクリスト中のセルの順序は、UEによってアクセスされるセルの順序とすることが可能である。Table 3(表3)は、アクセスされたセルのリンクリストを示し、Table 4(表4)はCSI情報を示している。
【００４２】
【表３】
2013545369.tif 000008
【００４３】
【表４】
2013545369.tif 000009
【００４４】
(2)またCSIをカテゴリに基づく情報格納の形で格納することもできる。例えば、CSIを、CSIパラメータに従って分類し、情報を格納する。例えば、CSIを滞在時間の長さに従って分類することができ、すなわち滞在時間を長時間の滞在、標準的な滞在、短時間の滞在に分類し、CSIの格納中、要求に従って、全部または一部のカテゴリをそれぞれ格納する。こうすることの利点は、実際の要求に従って格納スペースが削減されることである。他のカテゴリについてはここでは詳述しない。例えば、カテゴリに基づく格納を、セルタイプおよびセル電力情報に従って行うこともできる。
【００４５】
【表５】
2013545369.tif 000010
【００４６】
(3)CSIは、ランキングに基づく情報格納の形で格納することもできる。例えば、寸法を選択してCSIをランク付けし、このランキングに従ってCSIを格納する。例えば、最も長い滞在時間を有する5つのセルの中のCSIが格納される。このようにして、やはり格納スペースが削減される。Table 6(表6)はランキング表であり、Table 7(表7)はCSIを一覧表示している。
【００４７】
【表６】
2013545369.tif 000011
【００４８】
【表７】
2013545369.tif 000012
【００４９】
(4)CSIを格納するための方法は、やはりUEによって自律的に決定されることが可能である。例えば、UEは、隣接した(contiguous)または隣接していない(non-contiguous)いくつかのセルのCSIを選択的に格納することを自律的に決定することができる。例えばUEは、UEが頻繁にキャンプする低電力ノードのセルのCSIを格納することができる。
【００５０】
ステップ206:UEが移動中にターゲットセルを決定する必要があるとき、UEは候補セルに関する情報を取得する。
【００５１】
候補セルは、セルのハンドオーバ/再選択の信号条件を満たすセルであり、候補セルに関する情報は、セル識別子とすることができる。
【００５２】
ステップ207:候補セルがCSIに従ってUEにより決定される好ましいセルである場合、候補セルはUEのターゲットセルとして決定され、候補セルがCSIに従ってUEにより決定された除外セルである場合、候補セルはターゲットセルとすることから除外される。
【００５３】
UEは、CSIの1つまたは複数のパラメータに従って、好ましいセルまたは除外セルを決定することができる。CSIが、UEにサービスを提供したセルのセル識別子、およびUEにサービスを提供したセルにおけるUEの滞在時間を含むとき、好ましいセル/除外セルを決定することは、以下のようにしてUEにより実行されることが可能である。すなわち、候補セルのセル識別子およびCSIに従って、候補セルにおけるUEの滞在時間が、好ましいセル/除外セルの閾値を満たすかどうかを判断する、候補セルが閾値を満たす場合、候補セルを好ましいセル/除外セルとして決定する。
【００５４】
本明細書では閾値は、異なる意味を示している特定の時間値または識別子と理解することができる。例えば、CSIの中の滞在時間が特定の時間値を示すとき、特定の時間値を閾値として設定することができる。例えば、好ましいセルの閾値が、動作中であれ停止状態であれ、8時間である場合、会社にまたは自宅にいる時間は8時間を超えるべきである。特定の時間値8時間を閾値として設定することは、好ましい方法である。除外セルの閾値は、すぐに通過されて除外されるセルを示す5分である。CSIの中の滞在時間が滞在時間の長さを表すとき、識別子を閾値として設定することができる。例えば、好ましいセルの閾値は長時間の滞在であり、除外セルの閾値は短時間の滞在であるなどである。
【００５５】
候補セルが除外セルである場合に関しては、ターゲットセルの再選択またはターゲットセルへのハンドオーバは行われない。これにより不必要な再選択またはハンドオーバが効果的に削減され、それによりネットワーク資源を節約する。
【００５６】
確かにこの実施形態は、CSIの中のあらゆるタイプの情報に従って好ましいセル/除外セルを決定できることを説明するために、一例として滞在時間を使用している。例えば、以下のようである。
【００５７】
(1)滞在時間:特定のセルに入り、このセルに長期間とどまるUEに関しては、UEがセルに長期間とどまることを予測できる場合、セルがUEにサービスを提供するように、できる限りこのセルに選択/再選択/ハンドオーバが行われる。これに対応して、その後のサービスはこのセルから開始される。このように、低電力のセルは十分に使用されて、システム容量を増やし、セルへの選択/再選択/ハンドオーバを事前に行う。特定のセルに入り、ただしこのセルに短期間とどまるUEに関しては、UEがセルに短期間とどまることを予測できる場合、セルがUEにサービスを提供しないように、できる限りセルに選択/再選択/ハンドオーバは行われない。これに対応して、その後のサービスはこのセルから開始されない。このようにして、不必要なセルの選択/再選択/ハンドオーバプロセスが削減されて、デバイス上のシグナリングの対話および処理が減少する。一方、セルの選択/再選択/ハンドオーバの試みが減少するので、選択/再選択/ハンドオーバの失敗の可能性は減少する。
【００５８】
(2)サービス体験:過去のサービス体験の統計結果が良好であるセルを、セルの選択/再選択/ハンドオーバに高優先度のセルとして使用することができ、過去のサービス体験の統計結果が不良であるセルを、セルの選択/再選択/ハンドオーバに低優先度のセルとして使用することができる。これにより、セルの選択/再選択/ハンドオーバの質を向上させることができる。
【００５９】
(3)アクセス時間:UEがセルに入る/セルを出る時間を収集する。UEは、収集されたアクセス時間を現在の時間と比較して、規則性が満たされているかどうかを判断することができ、これは他のCSIパラメータを適用するかどうかを判断するための入力基準として役立つ。
【００６０】
(4)速度:UEについて、UEがより低速度であったセルを、セルの選択/再選択/ハンドオーバに高優先度のセルとして使用することができ、UEがより高速度であったセルを、セルの選択/再選択/ハンドオーバに低優先度のセルとして使用することができる。高速度は、UEがすぐにセルを、特に低電力のセルを出る、すなわち、別の選択/再選択/ハンドオーバが行われることを意味するからである。
【００６１】
また次の動作を使用することによって、すなわち、ターゲットセルに対してプリセットオフセットを追加することによって、候補セルをターゲットセルと決定することも可能であることに注意されたい。一例としてCSIの中の滞在時間を使用すると、UEは、信号条件を満たすセルから長時間の滞在を見込むセルをターゲットセルとして選択することができる、または長時間の滞在を見込むセルに対してセルの再選択/ハンドオーバのオフセットを追加することができる。CSIの中のセルタイプを一例として使用すると、UEは信号条件を満たすセルからPicoセルをターゲットセルとして選択することができる、またはPicoセルに対してセルの再選択/ハンドオーバのオフセットを追加することができる。CSIの中のセル電力情報を一例として使用すると、UEは、現在のサービングセルがマクロセルであるとき、信号条件を満たすセルから低電力のセルをターゲットセルとして優先的に選択することができる、または現在のサービングセルがマクロセルであるとき、低電力のセルに対してセルの再選択/ハンドオーバのオフセットを追加することができる。例えば、滞在時間およびセルの電力情報を参照して、ターゲットセルを選択することができる。すなわち、UEは、信号条件を満たすセルから、長時間の滞在を見込む低電力のセルをターゲットセルとして選択することができる、または、長時間の滞在を見込む低電力のセルに対してセルの再選択/ハンドオーバのオフセットを追加することができる。これにより、不必要な再選択/選択/ハンドオーバが回避され、長時間の滞在のためにセルを選択する速度が向上する。
【００６２】
ステップ208:UEがアイドル状態であるとき、UEはターゲットセルに再選択され、UEがアクティブ状態であるとき、UEはターゲットセルにハンドオーバされる。
【００６３】
特定の選択/再選択/ハンドオーバプロセスは、従来の技術により実行されることが可能であり、ここでは詳細を省略する。
【００６４】
UEがCSIの中の低電力セルに近づいていることをUEが検出するとき、UEは近接表示(proximity indication)をネットワーク側の装置に能動的に送信して、近づいた低電力のセルにUEを再選択/ハンドオーバするようにネットワーク側の装置に指示することができることを捕捉しなければならない。「近接(proximity)」という用語は、次のように理解することができる。すなわちUEがあるCSGセルに入るまたはCSGセルから出るとき、かつこのCSG IDがUEのホワイトリストにあるとき、UEは近接表示メッセージをネットワーク側の装置に送信する。近接の検出は、UEの自律的検索機能に基づく。UEの自律的検索機能はUEによって実行され、UEがアクセスを許可されたCSGセルをいつどこで検索するかを決定する。
【００６５】
例えば、滞在時間および位置情報を例として使用すると、UEが長時間の滞在を見込むセルに近づくとき、UEは、UEが長時間の滞在を見込むセルに近づくことを知らせるためにネットワーク側の装置に表示(indication)を送信する。
【００６６】
例えば、滞在時間、位置情報、およびセルタイプを例として使用すると、UEが長時間の滞在を見込むPicoセルに近づくとき、UEは、UEが長時間の滞在を見込むPicoセルに近づくことを知らせるためにネットワーク側の装置に表示を送信する。
【００６７】
例えば、滞在時間、位置情報、およびセル電力情報を例として使用すると、UEが長時間の滞在を見込む低電力のセルに近づくとき、UEは、UEが長時間の滞在を見込む低電力のセルに近づくことを知らせるためにネットワーク側の装置に表示を送信する。
【００６８】
図3は、本発明の一実施形態によりターゲットセルを決定するための方法のフローチャートである。図3に示すように、この実施形態は、UEがCSIを獲得し、このCSIをネットワーク側の装置に送信し、ネットワーク側の装置はセルの選択/再選択/ハンドオーバを行うプロセスを一例として使用して、ターゲットセルを決定するための方法について詳細に説明する。この方法は、以下のステップを含む。
【００６９】
ステップ301から305に関する詳細については、上述の実施形態のステップ201から205を参照することができ、ここでは繰り返して説明しない。
【００７０】
ステップ306:UEは、集められたCSIをネットワーク側の装置に送信する。
【００７１】
ネットワーク側の装置は、基地局、コアネットワーク装置などとすることができる。
【００７２】
送信されるCSIは、UEによって獲得された一部のCSIまたはすべてのCSIとすることができる。一部のCSIは、送信するためにUEによって選択されたCSIの部分を指し、一部のCSIに対応するサービングセルが、進行中または今後の選択/再選択/ハンドオーバの参照にこのようなCSIを使用することができる。すべてのCSIは、UEによって獲得されたすべてのCSIを指し、情報の一部をすぐに使用することができないが、その後の方法の参照に使用することができる。一部またはすべてのCSIを送信するかどうかは、ネットワークの制御によって決まる、またはUEによって自律的に決定されることが可能である。一部またはすべてのCSIを送信するかどうかがネットワークの制御によって決まるとき、ネットワーク側の装置は、UEに表示を送信する必要がある。
【００７３】
CSIは、次の方法で送信することができる。
【００７４】
イベントトリガ:UEの測定イベントがUEをトリガして、CSIをネットワーク側の装置に送信させる。CSIは、測定レポートメッセージで送信される。
【００７５】
定期的レポート:UEに期間が設定される。例えばCSIは1日おきに送信される。CSIは比較的安定しているので、設定期間を使用することによって、通信事業者はCSIを送信することにより引き起こされるトラフィックの増加を制御することができる。
【００７６】
専用シグナリング通知:新しい専用シグナリングが導入され、UEはネットワーク側の装置によって要求されるようにCSIを直ちに送信するよう要求される。
【００７７】
CSI更新:CSIの更新が検出されると、UEはCSIの更新または更新されたCSIをネットワーク側の装置に送信する。
【００７８】
ステップ307:ネットワーク側の装置は、受信したCSIを格納する。
【００７９】
格納方法に関する詳細については、第2の実施形態のステップ205を参照することができ、ここでは繰り返して説明しない。
【００８０】
ステップ308:UEが移動中にターゲットセルを決定する必要があるとき、ネットワーク側の装置は、UEの候補セルに関する情報を取得する。
【００８１】
候補セルは、セルのハンドオーバ/再選択の信号条件を満たすセルであり、候補セルに関する情報は、セル識別子とすることができる。
【００８２】
ステップ309:候補セルがCSIに従って決定される好ましいセルである場合、候補セルがUEのターゲットセルとして決定され、候補セルがCSIに従って決定された除外セルである場合、候補セルはターゲットセルとすることから除外される。
【００８３】
次の動作を使用することにより候補セルをターゲットセルとして決定することもできることに注意すべきである。すなわち、
CSI情報に従って特定のセルに対してプリセットオフセットを追加する。CSIの中の滞在時間を例として使用すると、ネットワーク側の装置が、信号条件を満たすセルから長時間の滞在を見込むセルをターゲットセルとして選択することができる、または、長時間の滞在を見込むセルに対してオフセットを追加することができる。例えば、滞在時間およびセルの電力情報を参照して、ターゲットセルを選択することができる。すなわち、ネットワーク側の装置は、信号条件を満たすセルから長時間の滞在を見込む低電力のセルをターゲットセルとして選択することができる、または、長時間の滞在を見込む低電力のセルに対してオフセットを追加することができる。これにより不必要な選択/再選択/ハンドオーバが回避され、長時間の滞在を見込むセルに事前に選択/再選択/ハンドオーバが行われる。
【００８４】
この実施形態では、CSIの中のあらゆるタイプの情報に従って好ましいセル/除外セルを判断することができる。例えば、以下のようである。
【００８５】
(1)滞在時間:特定のセルに入り、このセルに長期間滞在したUEに関しては、UEがこのセルに長い期間滞在することになると予測できる場合、このセルがUEにサービスを提供するようにできる限りこのセルにハンドオーバを行う。これに対応して、その後のサービスはこのセルから開始される。このようにして、低電力のセルは十分に使用されてシステム容量が増え、セルへのハンドオーバを事前に実行する。特定のセルに入ったが、このセルに短期間だけ滞在したUEに関しては、UEがこのセルに短期間滞在することになると予測できる場合、このセルがUEにサービスを提供しないようにできる限りこのセルにハンドオーバを行わない。これに対応して、その後のサービスはこのセルから開始されない。このようにして、不必要なセルのハンドオーバプロセスが削減されて、デバイス上のハンドオーバのシグナリングおよび処理が削減される。一方、セルのハンドオーバの試みが減少するので、ハンドオーバの失敗の可能性は減少する。
【００８６】
(2)サービス体験:過去のサービス体験の統計結果が良好であるセルを、ハンドオーバに高優先度のターゲットセルとして使用することができ、過去のサービス体験の統計結果が不良であるセルを、ハンドオーバに低優先度のターゲットセルとして使用することができる。これにより、ターゲットセルへのハンドオーバの質を向上させることができる。
【００８７】
(3)アクセス時間:UEがセルに入る/セルを出る時間を収集する。基地局について、アクセス時間に従ってハンドオーバを最適化することができる。例えば、多数のUEのアクセス時間を収集した後に、セルにアクセスするピーク期間を計算することができる。具体的には、すべてのアクセス時間が得られた後、特定のアクセス時間(例えば、1分または10分の精度)におけるUEの数がプリセット値を超える場合、基地局はこのアクセス時間に重負荷が発生すると判断し、したがって基地局下の最初のUEは、ピーク期間が訪れる前に別のセルにハンドオーバされて、やがて来る重負荷に対応するためにより多くの資源を開放する。さらに、原因値(cause value)を使用して来たるべき重負荷をハンドオーバのターゲットセルに示し、ハンドオーバされるUEをターゲットセルが優先的に受け入れるようにする。
【００８８】
(4)速度:UEについて、UEが低速度であったセルは、セルのハンドオーバに高優先度のセルとして使用することができ、UEがより高速度であったセルは、セルのハンドオーバに低優先度のセルとして使用することができる。高速度は、UEがセル、特に低電力のセルをすぐに出ること、すなわち別のハンドオーバが行われることを示すからである。
【００８９】
(5)ハンドオーバの結果または成功率情報:過去のハンドオーバの統計結果が良好であるセルを、ハンドオーバに高優先度のセルとして使用することができ、過去のハンドオーバの統計結果が不良であるセルを、ハンドオーバに低優先度のセルとして使用することができる。これにより、ハンドオーバの信頼性を向上させることができる。例えば、プリセット値よりも高いハンドオーバの成功率を有するセルが、良好なハンドオーバの結果または高い成功率を有するセルとみなされ、そうでない場合、セルは不良なハンドオーバの結果または低い成功率を有するセルとみなされる。優先的なハンドオーバは、具体的には、測定結果を満たすセルから良好なハンドオーバの結果を有するセルを選択すること、または測定結果に基づいて良好なハンドオーバの結果または高い成功率を有するセルに対してプリセットオフセットを追加することによって実行されることが可能である。
【００９０】
(6)方向:方向は、セルに入るおよびセルを出る時間および方向と比較することができる、またはこの情報に従ってネットワークを最適化することができる。例えば、多数のUEのアクセス時間が収集された後に、動作後のピーク時間を特定することができ、それによって多数のUEのハンドオーバ先またはハンドオーバ元のセルが検出される。
【００９１】
ステップ310:UEがアイドル状態であるとき、UEはターゲットセルに再選択される。
【００９２】
UEがアクティブ状態であるとき、UEはターゲットセルにハンドオーバされる。
【００９３】
特定の選択/再選択/ハンドオーバプロセスは、従来の技術により実行されることが可能であり、ここでは詳細を省略する。
【００９４】
図4は、本発明の一実施形態によりターゲットセルを決定するための方法のフローチャートである。図4に示すように、この実施形態は、ターゲットセルを決定するための方法を詳細に説明するために、一例としてCSIを獲得するネットワーク側の装置を使用する。この方法は、次のステップを含む。
【００９５】
ステップ401:ネットワーク側の装置が、UEのCSIを取得し、このCSIを格納する。
【００９６】
ネットワーク側の装置は、基地局、運用保守システム(Operations And Maintenance、以下OAMと略す)、またはコアネットワークノード(例えば、サービングGPRSサポートノード(Serving GPRS Support Node、以下SGSNと略す)、モビリティ管理要素(Mobility Management Entity、以下MMEと略す)、ホームロケーションレジスタ(Home Location Register、以下HLRと略す)、もしくは加入者データベース(Home Subscriber Server、以下HSSと略す))とすることができる。ネットワーク側の装置は、好ましくはコアネットワークノードである。MMEを例として使用すると、UEのCSIを取得するための特定の方法は、以下を含むことができる。
【００９７】
方法1:ハンドオーバプロセスの完了段階の間、無線アクセスネットワーク(Radio Access Network、以下RANと略す)およびコアネットワークのハンドオーバ関連のメッセージを使用して、CSI情報をMMEに搬送する。例えば、LTE X2ハンドオーバでは、CSIはeNBによってMMEに報告される経路切替(Path Switch)メッセージの中で報告され、LTE S1ハンドオーバでは、CSIはeNBによってMMEに報告されるハンドオーバ通知(Handover Notify)メッセージの中で報告される。
【００９８】
方法2:UEがサービスを完了し、ネットワークがUEの接続を開放すると、CSI情報はRANおよびコアネットワークのメッセージの中で搬送される。例えば、LTEシステムでは、CSIはコンテキスト開放完了(CONTEXT RELEASE COMPLETE)またはUEのコンテキスト開放要求(CONTEXT RELEASE REQUEST)メッセージの中でMMEに搬送されることが可能である。CSI情報を獲得後、コアネットワークノードは、さらに格納のためにCSI情報を他のコアネットワークノードに転送し、CSI情報が集中管理されるようにする。例えば、CSI情報は、ホーム加入者サーバ、ホームロケーションレジスタ、またはOAMサーバに格納され、シグナリングを使用したリクエストによって獲得される。
【００９９】
方法3:CSIが更新されるとき、CSIの更新またはすべての更新されたCSIが取得される。ネットワーク側の装置でCSIを格納する利点は、CSIを事前に取得でき、エアインターフェースの処理を削減し、遅延を短縮することにあることに注意すべきである。
【０１００】
ステップ402:ネットワーク側のハンドオーバ決定エンティティが、格納されたCSI情報を獲得する。
【０１０１】
例えば、LTEシステムでは、ハンドオーバ決定エンティティは基地局にあり、CSI情報がMMEに格納されている場合、基地局とMMEとの間でシグナリングを使用することによってCSI情報を獲得することができる。またネットワーク側のハンドオーバ決定エンティティは、UEが現在の基地局にハンドオーバされるとき、リソース基地局によって現在の基地局に搬送されることも可能である。
【０１０２】
ステップ403:UEが移動中にターゲットセルを決定する必要があるとき、ネットワーク側の装置は、UEの候補セルに関する情報を取得する。
【０１０３】
候補セルは、セルのハンドオーバ/再選択の信号条件を満たすセルであり、候補セルに関する情報は、セル識別子とすることができる。
【０１０４】
ステップ404:候補セルがCSIに従って決定される好ましいセルである場合、候補セルがUEのターゲットセルとして決定され、候補セルがCSIに従って決定された除外セルである場合、候補セルはターゲットセルとすることから除外される。
【０１０５】
ネットワーク側の装置は、受信したCSIの中の1つまたは複数のパラメータに従って、ハンドオーバのターゲットセルを選択することができる。ハンドオーバターゲットセルを選択するための方法は、具体的にはCSI情報に従って、信号条件を満たすセルからハンドオーバのターゲットセルを選択すること、またはCSI情報に従って特定のセルに対してプリセットオフセットを追加することである。CSIの中の滞在時間を例として使用すると、UEが、信号条件を満たすセルから長時間の滞在を見込むセルをハンドオーバのターゲットセルとして選択することができ、ネットワーク側の装置が、長時間の滞在を見込むセルに対してセルのオフセットを追加することができる。例えば、滞在時間およびセルの電力情報を参照して、ハンドオーバのターゲットセルを選択することができる。すなわち、ネットワーク側の装置は、信号条件を満たすセルから長時間の滞在を見込む低電力のセルをハンドオーバのターゲットセルとして選択することができる、または、長時間の滞在を見込む低電力のセルに対してオフセットを追加することができる。これにより、不必要なハンドオーバを回避し、長時間の滞在のセルへのハンドオーバを事前に実行する。
【０１０６】
この実施形態では、CSIの中のあらゆるタイプの情報に従って好ましいセル/除外セルを判断することができる。例えば、以下のようである。
【０１０７】
(1)滞在時間:特定のセルに入り、このセルに長期間滞在したUEに関しては、UEがこのセルに長い期間滞在することを予測できる場合、このセルがUEにサービスを提供するようにできる限りこのセルにハンドオーバを行う。これに対応して、その後のサービスはこのセルから開始される。このように、低電力のセルは十分に使用されて、システム容量が増え、セルへのハンドオーバを事前に実行する。特定のセルに入り、このセルに短期間滞在したUEに関しては、UEがこのセルに短期間滞在することになると予測できる場合、このセルがUEにサービスを提供しないようにできる限りこのセルにハンドオーバを行わない。これに対応して、その後のサービスはこのセルから開始されない。このように、不必要なセルのハンドオーバのプロセスが削減されて、ハンドオーバのシグナリング対話および装置上の処理を削減する。一方、セルのハンドオーバの試みが減少するので、ハンドオーバの失敗の可能性は減少する。
【０１０８】
(2)サービス体験:過去のサービス体験の統計結果が良好であるセルを、ハンドオーバに高優先度のターゲットセルとして使用することができ、過去のサービス体験の統計結果が不良であるセルを、ハンドオーバに低優先度のターゲットセルとして使用することができる。これにより、ターゲットセルへのハンドオーバの質を向上させることができる。
【０１０９】
(3)アクセス時間:UEがセルに入る/セルを出る時間を収集する。UEは、収集したアクセス時間を現在の時間と比較して、規則性が満たされるかどうかを判断することができ、これは他のCSIパラメータを適用すべきかどうかを判断するための入力基準として役立つ可能性がある。基地局が、情報に従ってハンドオーバを最適化することができる。例えば、多数のUEのアクセス時間を収集した後、セルにアクセスするピーク期間を計算することができる。具体的には、すべてのアクセス時間が獲得された後、特定のアクセス時間(例えば1分または10分の精度)におけるUEの数がプリセット値を超える場合、基地局はこのアクセス時間に重負荷が発生すると判断し、したがって基地局下の最初のUEは、ピーク期間が訪れる前に別のセルにハンドオーバされて、やがて来る重負荷に対応するためにより多くのリソースを開放する。さらに、原因値を使用してやがて来る重負荷をハンドオーバのターゲットセルに示し、ターゲットセルがハンドオーバされるUEを優先的に受け入れるようにする。
【０１１０】
(4)速度:UEについて、UEがより低速度であったセルは、セルのハンドオーバに高優先度のセルとして使用することができ、UEがより高速度であったセルは、セルのハンドオーバに低優先度のセルとして使用することができる。高速度は、UEがセル、特に低電力のセルをすぐに出ること、すなわち別のハンドオーバが行われることを示すからである。
【０１１１】
(5)ハンドオーバの結果または成功率情報:過去のハンドオーバの統計結果が良好であるセルを、ハンドオーバに高優先度のセルとして使用することができ、過去のハンドオーバの統計結果が不良であるセルを、ハンドオーバに低優先度のセルとして使用することができる。これにより、ハンドオーバの信頼性を向上させることができる。例えば、プリセット値よりも高いハンドオーバの成功率を有するセルが、良好なハンドオーバの結果または高い成功率を有するセルとみなされ、そうでない場合、セルは不良なハンドオーバの結果または低い成功率を有するセルとみなされる。優先的ハンドオーバは、具体的には測定結果を満たすセルから良好なハンドオーバの結果を有するセルを選択すること、または測定結果に基づいて良好なハンドオーバの結果もしくは高成功率を有するセルに対してプリセットオフセットを追加することによって実行されることが可能である。
【０１１２】
(6)方向:方向は、セルに入るおよびセルを出る時間および方向と比較されることが可能であり、ネットワークは、この情報に従って最適化されることが可能である。例えば、多数のUEのアクセス時間が収集された後に、動作および動作後のピーク時間を特定することができ、それによって多数のUEのハンドオーバ先またはハンドオーバ元のセルが検出される。
【０１１３】
CSIの中の滞在時間を例として使用すると、ネットワーク側の装置は、複数の候補サービングセルからCSIの中の最も長い滞在時間を有するセルをターゲットセルとして選択して、不必要なハンドオーバによって引き起こされる無駄およびサービスの中断を防ぐことができる。
【０１１４】
ステップ405:UEがアイドル状態であるとき、UEはターゲットセルに再選択され、UEがアクティブ状態であるとき、UEはターゲットセルにハンドオーバされる。
【０１１５】
特定の再選択/ハンドオーバプロセスは、従来の技術により実行されることが可能であり、ここでは詳細を省略する。
【０１１６】
図5は、本発明の一実施形態によりターゲットセルを決定するための方法のフローチャートである。図5に示すように、この実施形態は、ターゲットセルを決定するための方法を詳細に説明するために例として、CSIを獲得し、このCSIをUEに送信するネットワーク側の装置を使用する。この方法は、以下のステップを含む。
【０１１７】
ステップ501から502に関する詳細については、上記の実施形態のステップ401から402を参照することができ、ここでは繰り返して説明しない。
【０１１８】
ステップ503:ネットワーク側の決定エンティティは、UEの獲得したCSIをUEに送信する。
【０１１９】
ネットワーク側の装置は、このCSIをRRC接続セットアップメッセージ(RRC connection setup message)、RRC接続再構成メッセージ(RRC connection reconfiguration message)、またはNASメッセージで送信することができる。
【０１２０】
ステップ504から506に関する詳細については、上記の実施形態のステップ206から208を参照することができ、ここでは繰り返して説明しない。
【０１２１】
結論として、候補セルの情報を獲得すること、およびCSI情報に従ってターゲットセルを決定することにより、ネットワーク側の装置およびUEは共にCSI情報に従って適切な再選択/ハンドオーバを行い、それにより不必要なハンドオーバまたは再選択を防ぐことができる。例えば、UEが特定のセルをすぐに通り抜けると予測されるとき、UEはこうしたセルにハンドオーバされない、または再選択されないことが可能であり、マイクロ網に維持される。ハンドオーバ/再選択の数を効果的に削減すると、特に遅延の影響を受けやすいサービスについて、サービスの中断の数を減少させ、ユーザ体験を向上させる。一方、ハンドオーバの数を削減すると、ハンドオーバの成功率は確定値であるので、潜在的なハンドオーバの失敗の数は相対的に削減される。移動端末に関しては、セルの選択/再選択中に、CSIを十分に考慮することにより、移動端末は、短時間の滞在を見込むセルにアクセスすることを防止され、それによって頻繁な選択/再選択などによって引き起こされる資源の無駄を省く。このようにして、セルの資源は、長期間セルにキャンプオンする移動端末のために確保される。さらに、低電力のノードがキャンピング(camping)に選択され、それによってノード資源を十分に使用し、ネットワークのシステム容量を増大させる。CSIが移動端末の移動軌跡に従って格納される場合、移動端末が移動する次のセルを、CSIにより事前に取得することができ、次のセルにおける移動端末に関する挙動および情報を事前に取得することもできる。このように、ハンドオーバ/再選択/選択は、情報により最適化される。
【０１２２】
本発明の一実施形態はさらに、図6に示すように、移動端末を提供する。図6は、本発明の第6の実施形態による移動端末の概略構造図である。移動端末は、上記の方法の実施形態の特定の実行者である。したがって、方法の実施形態の内容は、この実施形態に参照により組み込まれる。移動端末は、取得モジュール601と、決定モジュール602とを含んでいる。取得モジュール601は、候補セルに関する情報を取得するように構成されている。決定モジュール602は、取得モジュール601によって取得された候補セルがセル統計情報に従って決定される好ましいセルである場合、候補セルをターゲットセルとして決定するように構成されており、セル統計情報は、移動端末にサービスを提供したセルに関する特有の情報と、移動端末にサービスを提供したセルにおける移動端末に関する特有の情報とを含む。
【０１２３】
上述の実施形態では、実行モードにおいて移動端末は、図7に示す第2の概略構造図に示すように、獲得モジュール603をさらに含むことができる。獲得モジュール603は、セル統計情報を獲得するように構成される。獲得モジュール603は、記録ユニットを含む。記録ユニットは、移動端末にサービスを提供したセルに関する特有の情報と、移動端末にサービスを提供したセルにおける移動端末に関する特有の情報とを記録するように構成される。
【０１２４】
上述の実施形態では、実行モードにおいて移動端末は、図8に示す第3の概略構造図に示すように、送信モジュール604をさらに含むことができる。送信モジュール604は、獲得モジュール603によって獲得されたセル統計情報をネットワーク側の装置に送信するように構成される。
【０１２５】
上述の実施形態では、セル統計情報は少なくとも、移動端末にサービスを提供したセルのセル識別子と、移動端末にサービスを提供したセルにおける移動端末の滞在時間とを含み、決定モジュール602は、第1の決定ユニットを含む。第1の決定ユニットは、候補セルのセル識別子およびセル統計情報を使用することによって、候補セルにおける移動端末の滞在時間が、好ましいセルの閾値を満たすかどうかを判断し、滞在時間が閾値を満たす場合、候補セルを好ましいセルと判断するように構成される。
【０１２６】
上述の実施形態では、セル統計情報は少なくとも、移動端末にサービスを提供したセルのセル識別子と、移動端末にサービスを提供したセルにおける移動端末の滞在時間とを含み、決定モジュール602は、第2の決定ユニットを含む。第2の決定ユニットは、候補セルのセル識別子およびセル統計情報を使用することによって、候補セルにおける移動端末の滞在時間が、除外セルの閾値を満たすかどうかを判断し、滞在時間が閾値を満たす場合、候補セルを除外セルと判断するように構成される。
【０１２７】
本発明の一実施形態はさらに、ネットワーク側の装置を含む。ネットワーク側の装置は、上記の方法の実施形態の特定の実行者である。したがって、方法の実施形態の内容は、この実施形態に参照により組み込まれる。図9は、本発明の一実施形態によるネットワーク側の装置の概略構造図である。図9に示すように、この装置は、取得モジュール901と、決定モジュール902とを含む。取得モジュール901は、移動端末の候補セルに関する情報を取得するように構成され、決定モジュール902は、取得モジュール901によって取得された候補セルがセル統計情報により判断される好ましいセルである場合、候補セルを移動端末のターゲットセルとして決定するように構成される。セル統計情報は、移動端末にサービスを提供したセルに関する特有の情報と、移動端末にサービスを提供したセルにおける移動端末に関する特有の情報とを含む。
【０１２８】
上述の実施形態では、実行モードにおいて、ネットワーク側の装置はさらに、獲得モジュール903を含む。図10は、本発明の一実施形態によるネットワーク側の装置の概略構造図である。獲得モジュール903は、移動端末にサービスを提供したセルに関する特有の情報と、移動端末にサービスを提供したセルにおける移動端末に関する特有の情報とを、コアネットワークまたは運用保守システムから、および/または移動端末の呼確立プロセスで、取得するように構成される。
【０１２９】
上述の実施形態では、実行モードにおいて、ネットワーク側の装置はさらに、送信モジュール904を含む。図11は、本発明の一実施形態によるネットワーク側の装置の第3の概略構造図である。送信モジュール904は、獲得モジュール903によって取得されたセル統計情報を移動端末に送信するように構成される。
【０１３０】
上述の実施形態では、実行モードにおいて、決定モジュール902はさらに、候補セルがセル統計情報により判断された除外セルである場合、候補セルをターゲットセルとすることから除外するように構成されることが可能である。
【０１３１】
上述の実施形態では、実行モードにおいて、ネットワーク側の装置はさらに、再選択モジュール905および/またはハンドオーバモジュール906を含む。図12は、本発明の一実施形態によるネットワーク側の装置の第4の概略構造図である。再選択モジュール905は、移動端末がアイドル状態であるとき、決定モジュール902によって決定されたターゲットセルに移動端末を再選択するように構成される。ハンドオーバモジュール906は、移動端末がアクティブ状態であるとき、決定モジュール902によって決定されたターゲットセルに移動端末をハンドオーバするように構成される。
【０１３２】
本発明の諸実施形態で提供される装置は、移動端末の候補セルに関する情報を取得し、候補セルがセル統計情報により判断された好ましいセルであるかどうかを判断し、そうである場合は、候補セルを移動端末のターゲットセルとして決定し、セル統計情報は、移動端末にサービスを提供したセルに関する特有の情報と、移動端末にサービスを提供したセルにおける移動端末に関する特有の情報とを含む。セル統計情報によりターゲットセルを決定するための方法は、移動端末が任意の候補セルにむやみにハンドオーバされる、または再選択されることを効果的に防ぎ、それによってネットワーク資源を節約し、さらにより安定した信頼できるサービスをユーザに提供する。
【０１３３】
諸実施形態の方法のステップの全部または一部は、関連ハードウェアに命令するプログラムによって実行可能であることを、当業者は理解できる。プログラムは、コンピュータ可読記憶媒体に格納することができる。プログラムが実行されるとき、諸実施形態の方法の前述のステップが行われる。記憶媒体は、ROM、RAM、磁気ディスク、または光ディスクのような、プログラムコードを格納することができる任意の媒体とすることができる。
【０１３４】
最後に、上記の実施形態は、本発明を限定することではなく、本発明の技術的解決法を説明することを目的としているにすぎないことに注意されたい。本発明は、前述の諸実施形態を参照して詳細に説明したが、本発明の諸実施形態の技術的解決法の趣旨および範囲を逸脱することなく、前述の諸実施形態で説明した技術的解決法をさらに変更できること、またはその一部の技術的特徴に等価な置き換えを行うことができることを当業者は理解するであろう。
【符号の説明】
【０１３５】
601  取得モジュール
602  決定モジュール
603  獲得モジュール
604  送信モジュール
【図１】
2013545369.tif 000013
【図２】
2013545369.tif 000014
【図３】
2013545369.tif 000015
【図４】
2013545369.tif 000016
【図５】
2013545369.tif 000017
【図６】
2013545369.tif 000018
【図７】
2013545369.tif 000019
【図８】
2013545369.tif 000020
【図９】
2013545369.tif 000021
【図１０】
2013545369.tif 000022
【図１１】
2013545369.tif 000023
【図１２】
2013545369.tif 000024
【手続補正書】
【提出日】平成25年5月30日(2013.5.30)
【手続補正１】
【補正対象書類名】明細書
【補正対象項目名】０００１
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
ターゲットセルを決定するための方法であって、
移動端末の候補セルに関する情報を取得するステップと、
前記候補セルがセル統計情報に従って決定される好ましいセルである場合、前記候補セルを前記移動端末のターゲットセルとして決定するステップと、
を含み、
前記セル統計情報は、前記移動端末にサービスを提供したセルに関する特有の情報と、前記移動端末にサービスを提供した前記セルにおける前記移動端末に関する特有の情報と、を含むことを特徴とする方法。
【請求項２】
移動端末の候補セルに関する情報を前記取得するステップの前に、前記方法は、前記移動端末によって前記セル統計情報を獲得するステップをさらに含み、
前記移動端末によって前記セル統計情報を獲得するステップは、前記移動端末によって前記移動端末にサービスを提供した前記セルに関する前記特有の情報、および前記移動端末にサービスを提供した前記セルにおける前記移動端末に関する前記特有の情報を記録するステップを含むことを特徴とする請求項1に記載のターゲットセルを決定するための方法。
【請求項３】
前記移動端末によって前記セル統計情報をネットワーク側の装置に送信するステップをさらに含むことを特徴とする請求項2に記載のターゲットセルを決定するための方法。
【請求項４】
先に、前記方法が、ネットワーク側の装置によって前記セル統計情報を獲得するステップをさらに含み、
前記ネットワーク側の装置によって前記セル統計情報を前記獲得するステップは、前記ネットワーク側の装置によって、前記移動端末にサービスを提供した前記セルに関する前記特有の情報、および前記移動端末にサービスを提供した前記セルにおける前記移動端末に関する前記特有の情報を、コアネットワークもしくは運用保守システムから、および/または前記移動端末の呼確立プロセスにおいて獲得するステップを含むことを特徴とする請求項1に記載のターゲットセルを決定するための方法。
【請求項５】
前記ネットワーク側の装置によって前記セル統計情報を前記移動端末に送信するステップをさらに含むことを特徴とする請求項4に記載のターゲットセルを決定するための方法。
【請求項６】
前記セル統計情報は、少なくとも前記移動端末にサービスを提供した前記セルのセル識別子と、前記移動端末にサービスを提供した前記セルにおける前記移動端末の滞在時間とを含み、
セル統計情報に従って好ましいセルを決定するための前記方法が、
前記候補セルの前記セル識別子および前記セル統計情報を使用することによって、前記候補セルにおける前記移動端末の前記滞在時間が、好ましいセルの閾値を満たすかどうかを判断し、
前記滞在時間が前記閾値を満たす場合、前記候補セルを前記好ましいセルと決定するステップを含むことを特徴とする請求項1に記載のターゲットセルと決定するための方法。
【請求項７】
前記候補セルが前記セル統計情報に従って決定された除外セルである場合、前記候補セルをターゲットセルとすることから除外するステップをさらに含むことを特徴とする請求項1に記載のターゲットセルを決定するための方法。
【請求項８】
前記セル統計情報は、少なくとも前記移動端末にサービスを提供した前記セルのセル識別子と、前記移動端末にサービスを提供した前記セルにおける前記移動端末の滞在時間とを含み、
前記セル統計情報に従って除外セルを決定するための前記方法が、
前記候補セルの前記セル識別子および前記セル統計情報を使用することによって、前記候補セルにおける前記移動端末の前記滞在時間が、除外セルの閾値を満たすかどうかを判断し、
前記滞在時間が前記閾値を満たす場合、前記候補セルを前記除外セルと決定するステップを含むことを特徴とする請求項7に記載のターゲットセルを決定するための方法。
【請求項９】
前記候補セルを前記移動端末のターゲットセルとして前記決定するステップの後に、前記方法が、
前記移動端末がアイドル状態であるとき、前記移動端末を前記ターゲットセルに再選択するステップと、
前記移動端末がアクティブ状態であるとき、前記移動端末を前記ターゲットセルにハンドオーバするステップと、
をさらに含むことを特徴とする請求項1に記載のターゲットセルを決定するための方法。
【請求項１０】
前記セル統計情報の中の前記移動端末にサービスを提供した前記セルに関する前記特有の情報は、セルタイプ、無線アクセス情報、周波数情報、周波数優先情報、ネットワーク計画関連パラメータ、セル送信電力、セル位置情報、および無線アクセスシステム情報のうちの1つまたは複数をさらに含み、
前記セル統計情報の中の前記移動端末にサービスを提供した前記セルにおける前記移動端末に関する前記特有の情報は、ハンドオーバ結果情報、アクセスに望ましい前記セルに関する情報、サービス体験、無線チャネルの品質、アクセス時間、方向、速度、および前記移動端末に固有の加入者プロファイル識別子情報のうちの1つまたは複数をさらに含むことを特徴とする請求項1から9のいずれか一項に記載のターゲットセルを決定するための方法。
【請求項１１】
移動端末であって、
候補セルに関する情報を取得するように構成された、取得モジュールと、
前記取得モジュールによって取得された前記候補セルがセル統計情報に従って決定される好ましいセルである場合、前記候補セルをターゲットセルとして決定するように構成された、決定モジュールと、
を含み、
前記セル統計情報が、前記移動端末にサービスを提供したセルに関する特有の情報と、前記移動端末にサービスを提供した前記セルにおける前記移動端末に関する特有の情報とを含むことを特徴とする移動端末。
【請求項１２】
前記セル統計情報を取得するように構成された獲得モジュールをさらに含み、
前記獲得モジュールが、前記移動端末にサービスを提供した前記セルに関する前記特有の情報と、前記移動端末にサービスを提供した前記セルにおける前記移動端末に関する前記特有の情報とを記録するように構成されていることを特徴とする請求項11に記載の移動端末。
【請求項１３】
前記獲得モジュールによって獲得された前記セル統計情報をネットワーク側の装置に送信するように構成された送信モジュールをさらに含むことを特徴とする請求項12に記載の移動端末。
【請求項１４】
前記セル統計情報は、少なくとも、前記移動端末にサービスを提供した前記セルのセル識別子と、前記移動端末にサービスを提供した前記セルにおける前記移動端末の滞在時間とを含み、
前記決定モジュールが、
前記候補セルの前記セル識別子および前記セル統計情報を使用することによって、前記候補セルにおける前記移動端末の前記滞在時間が、好ましいセルの閾値を満たすかどうかを判断し、
前記滞在時間が前記閾値を満たす場合、前記候補セルを前記好ましいセルと決定するように構成された、第1の決定ユニットを含むことを特徴とする請求項11に記載の移動端末。
【請求項１５】
前記セル統計情報は、
少なくとも前記移動端末にサービスを提供した前記セルのセル識別子と、
前記移動端末にサービスを提供した前記セルにおける前記移動端末の滞在時間と、
を含み、
前記決定モジュールは、前記候補セルの前記セル識別子および前記セル統計情報を使用することによって、前記候補セルにおける前記移動端末の前記滞在時間が、除外セルの閾値を満たすかどうかを判断し、前記滞在時間が前記閾値を満たす場合、前記候補セルを前記除外セルと判断するように構成された、第2の決定ユニットをさらに含むことを特徴とする請求項11に記載の移動端末。
【請求項１６】
移動端末の候補セルに関する情報を取得するように構成された、取得モジュールと、
前記取得モジュールによって取得された前記候補セルがセル統計情報に従って決定される好ましいセルである場合、前記候補セルを前記移動端末のターゲットセルとして決定するように構成された、決定モジュールと、
を含み、
前記セル統計情報が、
前記移動端末にサービスを提供したセルに関する特有の情報と、
前記移動端末にサービスを提供した前記セルにおける前記移動端末に関する特有の情報と、
を含むことを特徴とするネットワーク側の装置。
【請求項１７】
前記移動端末にサービスを提供した前記セルに関する前記特有の情報、および前記移動端末にサービスを提供した前記セルにおける前記移動端末に関する前記特有の情報を、コアネットワークもしくは運用保守システムから、および/または前記移動端末の呼確立プロセスにおいて獲得するように構成された獲得モジュールをさらに含むことを特徴とする請求項16に記載のネットワーク側の装置。
【請求項１８】
前記獲得モジュールによって獲得された前記セル統計情報を前記移動端末に送信するように構成された送信モジュールをさらに含むことを特徴とする請求項17に記載のネットワーク側の装置。
【請求項１９】
前記決定モジュールは、前記候補セルが前記セル統計情報に従って決定された除外セルである場合、前記候補セルをターゲットセルとすることから除外するようにさらに構成されることを特徴とする請求項16に記載のネットワーク側の装置。
【請求項２０】
前記移動端末がアイドル状態であるとき、前記移動端末を前記ターゲットセルに再選択するように構成された再選択モジュールと、
前記移動端末がアクティブ状態であるとき、前記移動端末を前記ターゲットセルにハンドオーバするように構成されたハンドオーバモジュールと、
をさらに含むことを特徴とする請求項16に記載のネットワーク側の装置。
【手続補正３】
【補正対象書類名】図面
【補正対象項目名】図２
【補正方法】変更
【補正の内容】
【図２】
2013545369.tif 000025
【手続補正４】
【補正対象書類名】図面
【補正対象項目名】図３
【補正方法】変更
【補正の内容】
【図３】
2013545369.tif 000026
【国際調査報告】
2013545369.tif 000027
2013545369.tif 000028
2013545369.tif 000029
2013545369.tif 000030